(57)【要約】【課題】いわゆる中子落ち現象が起こった場合であっても、各節に損傷を与えることなく各節が復帰される釣竿の提供。【解決手段】この釣竿２０は、振出式５本継ぎに構成されている。第２番節２２の先端部に先端部保護部材２９が取り付けられており、第３番節２３の後端部に後端部保護部材３０が取り付けられている。先端部保護部材２９は、筒状を呈し、第２番節２２の先端部の外側を覆っている。後端部保護部材３０は、筒状を呈し、第３番節２３の後端部の内側を覆っている。【選択図】  図１
2004248571.tif 000002
【特許請求の範囲】
【請求項１】
筒状に形成され、振出式に組み立てられた４本以上の節と、
これら節のうち中間節を構成する節の先端開口部の外側周縁部を覆うように配置され、当該外側周縁部に加えられる衝撃を緩和し得る先端部保護部材とを備える振出式釣竿。
【請求項２】
第３番節から元上節までの後端開口部の内側周縁部を覆うように配置され、当該内側周縁部に加えられる衝撃を緩和し得る後端部保護部材をさらに備える請求項１に記載の振出式釣竿。
【請求項３】
筒状に形成され、振出式に組み立てられた４本以上の節と、
これら節のうち第３番節から元上節までの後端開口部の内側周縁部を覆うように配置され、当該内側周縁部に加えられる衝撃を緩和し得る後端部保護部材とを備える振出式釣竿。
【請求項４】
中間節を構成する節の先端開口部の外側周縁部を覆うように配置され、当該外側周縁部に加えられる衝撃を緩和し得る先端部保護部材をさらに備える請求項３に記載の振出式釣竿。
【請求項５】
上記先端部保護部材は、
上記中間節の先端部に外嵌される筒状を呈し、その先端角部は、面取処理が施されている請求項１又は２に記載の振出式釣竿。
【請求項６】
上記先端部保護部材は、
上記中間節の先端部に外嵌される筒状を呈し、その先端角部は、面取処理が施されている請求項４に記載の振出式釣竿。
【請求項７】
上記先端部保護部材の外径は、
当該先端部保護部材の先端から後端側へ向かう方向に沿って漸次拡径されている請求項５に記載の振出式釣竿。
【請求項８】
上記先端部保護部材の外径は、
当該先端部保護部材の先端から後端側へ向かう方向に沿って漸次拡径されている請求項６に記載の振出式釣竿。
【請求項９】
上記後端部保護部材は、
上記第３番節から元上節までの後端部に内嵌される筒状を呈し、その後端角部は、その内径が先端側へ向かう方向に沿って滑らかに縮径された案内面を備えている請求項２に記載の振出式釣竿。
【請求項１０】
上記後端部保護部材は、
上記第３番節から元上節までの後端部に内嵌される筒状を呈し、その後端角部は、その内径が先端側へ向かう方向に沿って滑らかに縮径された案内面を備えている請求項３に記載の振出式釣竿。
【請求項１１】
筒状に形成され、振出式に組み立てられたｎ本（ｎ≧５）の節と、
第３番節から第（ｎ−２）番節までの後端開口部の内側周縁部を覆うように配置された後端部保護部材とを備え、
第２番節の長さ寸法は、第ｎ番節から第（ｎ−１）番節が引き出された状態における当該第ｎ番節の内底面から当該第（ｎ−１）番節の後端までの距離よりも大きく設定されている振出式釣竿。
【請求項１２】
第２番節から第（ｎ−３）番節までの先端開口部の外側周縁部を覆うように先端部保護部材がさらに配置されている請求項１１に記載の振出式釣竿。
【発明の詳細な説明】
【０００１】
【発明の属する技術の分野】
この発明は、釣竿、より詳しくは振出式釣竿の構造に関するものである。
【０００２】
【従来の技術】
一般に、釣竿は、複数の釣竿構成部材を備えている。通常、各釣竿構成部材は、外径及び内径が異なる筒状に形成され、これらが軸方向に連結される（継がれる）ことによって、所定長さの釣竿が構成される。各釣竿構成部材の連結構造は、従来から種々提案されているが、各釣竿構成部材は、振出式に連結される場合が多い。
【０００３】
各釣竿構成部材は、「節」と称され、外径の細い節から順に第１番節、第２番節と称される。また、最も外径の大きい節は、元節と称され、元節に連結される節は、元上節と称される。さらに、本明細書では、第１番節、元上節及び元節を除く節は、特に、中間節と称される。したがって、例えば３つの節からなる釣竿では、中間節は存在しないことになる。
【０００４】
図７は、渓流用の釣竿１の正面図である。この釣竿１は、いわゆる７本継ぎタイプのものであり、第１番節２〜第７番節８が振出式に連結されている。つまり、第１番節２の後端部が第２番節３の先端部内側に嵌合されており、これにより、第１番節２が第２番節３から伸長した状態で当該第２番節３によって保持されている。なお、他の隣り合う２つの節についても同様である。
【０００５】
ところで、釣りの最中に、隣り合う節同士の嵌合が緩くなること等が原因となって、例えば、第２番節３と第３番節４との嵌合が外れてしまうことがある。その場合、各節２〜８は振出式に連結されているから、第２番節３及び第１番節２は、第７番節８の内部まで落下してしまう。なお、このように中間節が元節８の内部に落下する現象は、「中子落ち現象」と称される。
図８は、釣竿１の一部断面要部拡大正面図であり、第７番節８の内部に第２番節３及び第１番節２が落下した状態を示している。
第２番節３及び第１番節２が第７番節８内に落下した場合には、釣人は、釣りを続行するために当該第２番節３及び第１番節２を各節４〜８から引き出す必要がある。
【０００６】
【発明が解決しようとする課題】
しかし、同図が示すように、第２番節３及び第１番節２が第７番節８内に落下したときには、第２番節３の先端９は、第６番節７の後端１０よりも後方に位置することになるため、この状態から第２番節３及び第１番節２が強引に各節４〜８から引き出された場合には、第２番節３の先端９が第６番節７の後端１０に激しく衝突し、両者が損傷を受けるおそれがあるという問題がある。特に、渓流用に構成された釣竿１は、各節２〜８の肉厚がきわめて薄く、そのため、第２番節３の先端９及び第６番節７の後端１０が損傷を受ける可能性は高い。
【０００７】
なお、第７番節８の軸方向寸法Ａ、第７番節８と第６番節７とのオーバラップ寸法Ｂ又は第２番節３の軸方向寸法Ｃが適当に調整されることによって、第２番節３の先端９と第６番節７の後端１０との衝突が回避され得るが、仮にそうであったとしても、中子落ち現象が生じた場合には、第２番節３の先端９と第５番節６の後端との衝突が起こり得る。
【０００８】
そこで、本発明の目的は、いわゆる中子落ち現象が起こった場合であっても、各節に損傷を与えることなく各節が復帰される釣竿を提供することである。
なお、従来では、中子落ち現象が生じたことにより上記問題が発生することは既に知られており、中子落ち現象が生じた場合には、釣人は、各節に損傷を与えないように各節を引き出す作業を慎重に行っていた。ただし、本発明に関連する先行技術文献については、本願出願時において本願出願人が知るものは存在しない。
【０００９】
【課題を解決するための手段】
（１）  上記目的を達成するため、本願に係る振出式釣竿は、筒状に形成され、振出式に組み立てられた４本以上の節と、これら節のうち中間節を構成する節の先端開口部の外側周縁部を覆うように配置され、当該外側周縁部に加えられる衝撃を緩和し得る先端部保護部材とを備えることを特徴とするものである。
【００１０】
釣人は、いわゆる中子落ち現象が発生した場合には、落下した中間節及び第１番節を元節等から引き出す作業（復帰作業）を行う。
釣竿は振出式に構成されているから、第１番節の後端部が第２番節の先端部内側に嵌合保持され、第２番節の後端部が第３番節の先端部内側に嵌合保持される。他の隣り合う節についても同様に、一般に、第ｎ番節の後端部が第（ｎ＋１）番節の先端部内側に嵌合保持される。このため、第（ｎ＋１）番節の先端部内側において、第ｎ番節の後端位置に当該第ｎ番節の肉厚寸法に相当する段差が内側に生じる。
一方、中子落ち現象によって第ｍ番節が落下した場合には、第１番節〜第ｍ番節までが一体となって元節等まで落下する。そして、落下した各節についても振出式に構成されているから、第１番節と第２番節との境界部分に当該第２番節の肉厚寸法に相当する段差が外側に形成され、他の隣り合う節同士についても同様に段差が形成される。
【００１１】
したがって、復帰作業の際に、落下した中間節及び第１番節が元節等の内部から引き出されるときには、上記外側に形成された段差部分が上記内側に形成された段差部分と衝突する。しかし、中間節を構成する節の先端開口部の外側周縁部は、先端部保護部材によって覆われているから、上記段差部分が直接に衝突することはなく、上記内側に形成された段差部分と上記先端部保護部材とが衝突することになる。つまり、上記中間節の先端開口部の外側周縁部は、先端部保護部材によって激しい衝突から保護される。
言い換えると、上記段差部分同士は、互いに衝突するものの、上記先端部保護部材によって、外側に形成された段差部分が内側に形成された段差部分を滑らかに乗り越える。これにより、当該外側周縁部に加えられる衝撃は、緩和されることになる。
【００１２】
また、第３番節から元上節までの後端開口部の内側周縁部を覆うように配置され、当該内側周縁部に加えられる衝撃を緩和し得る後端部保護部材がさらに備えられているのが望ましい。
この構成では、上記後端部保護部材が設けられているので、上記復帰作業の際に、上記段差部分が直接に衝突することはなく、上記先端部保護部材と上記後端部保護部材とが衝突することになる。つまり、上記中間節の先端開口部の外側周縁部は、先端保護部材及び後端部保護部材によって激しい衝突から確実に保護される。
したがって、上記段差部分同士は、互いに衝突するものの、上記先端部保護部材及び後端部保護部材によって、外側に形成された段差部分が内側に形成された段差部分をきわめて滑らかに乗り越える。これにより、当該外側周縁部に加えられる衝撃は、一層効果的に緩和されることになる。
【００１３】
（２）  また、上記目的を達成するため、本願に係る振出式釣竿は、筒状に形成され、振出式に組み立てられた４本以上の節と、これら節のうち第３番節から元上節までの後端開口部の内側周縁部を覆うように配置され、当該内側周縁部に加えられる衝撃を緩和し得る後端部保護部材とを備えることを特徴とするものである。
【００１４】
前述と同様に、いわゆる中子落ち現象が発生した場合には、復帰作業が行われるが、落下した中間節及び第１番節が元節等の内部から引き出されるときには、上記外側に形成された段差部分が上記内側に形成された段差部分と衝突する。しかし、第３番節から元上節までの後端開口部の内側周縁部は、後端部保護部材によって覆われているから、上記段差部分が直接に衝突することはなく、上記内側に形成された段差部分と上記後端部保護部材とが衝突することになる。つまり、上記内側周縁部は、後端部保護部材によって激しい衝突から保護される。
言い換えると、上記段差部分同士は、互いに衝突するものの、上記後端部保護部材によって、外側に形成された段差部分が内側に形成された段差部分を滑らかに乗り越える。これにより、当該内側周縁部に加えられる衝撃は、緩和されることになる。
【００１５】
また、中間節を構成する節の先端開口部の外側周縁部を覆うように配置され、当該外側周縁部に加えられる衝撃を緩和し得る先端部保護部材がさらに備えられているのが望ましい。
この構成では、上記先端部保護部材が設けられているので、上記復帰作業の際に、上記段差部分が直接に衝突することはなく、上記先端部保護部材と上記後端部保護部材とが衝突することになる。つまり、上記中間節の先端開口部の外側周縁部は、先端保護部材及び後端部保護部材によって激しい衝突から確実に保護される。
したがって、上記段差部分同士は、互いに衝突するものの、上記先端部保護部材及び後端部保護部材によって、外側に形成された段差部分が内側に形成された段差部分をきわめて滑らかに乗り越える。これにより、当該内側周縁部に加えられる衝撃は、一層効果的に緩和されることになる。
【００１６】
（３）  上記先端部保護部材は、上記中間節の先端部に外嵌される筒状を呈し、その先端角部は、面取処理が施されているのが好ましい。
この構成では、先端部保護部材は上記中間節の先端部にキャップ状に嵌め込まれるので、上記復帰作業の際には、当該先端部保護部材の先端角部が衝突することになる。この先端角部は面取りがなされているので、上記段差部分同士が衝突した場合には、上記外側に形成された段差部分は、内側に形成された段差部分を一層滑らかに乗り越えることができる。
【００１７】
さらに、上記先端部保護部材の外径は、当該先端部保護部材の先端から後端側へ向かう方向に沿って漸次拡径されているのが好ましい。
この構成では、先端部保護部材の周面は、所定のテーパーが形成された傾斜面となる。したがって、上記復帰作業の際に、先端部保護部材の周面が衝突した場合であっても、当該先端部保護部材によって、上記外側に形成された段差部分が、内側に形成された段差部分を滑らかに乗り越えることができる。
【００１８】
（４）  上記後端部保護部材は、上記第３番節から元上節までの後端部に内嵌される筒状を呈し、その後端角部は、その内径が先端側へ向かう方向に沿って滑らかに縮径された案内面を備えているのが好ましい。
この構成では、後端部保護部材は、上記３番節から元上節までの後端部の内側に内蓋が嵌め込まれるようにして取り付けられるので、上記復帰作業の際には、当該後端部保護部材の後端角部が衝突することになる。この後端角部は上記案内面を備えているので、上記段差部分同士が衝突した場合には、上記外側に形成された段差部分は、この案内面と衝突し、その結果、上記内側に形成された段差部分を一層滑らかに乗り越えることができる。
【００１９】
（５）  さらに、上記目的を達成するため、本願に係る振出式釣竿は、筒状に形成され、振出式に組み立てられたｎ本（ｎ≧５）の節と、第３番節から第（ｎ−２）番節までの後端開口部の内側周縁部を覆うように配置された後端部保護部材とを備え、第２番節の長さ寸法は、第ｎ番節から第（ｎ−１）番節が引き出された状態における当該第ｎ番節の内底面から当該第（ｎ−１）番節の後端までの距離よりも大きく設定されていることを特徴とするものである。
【００２０】
前述と同様に、いわゆる中子落ち現象が発生した場合には、復帰作業が行われるが、落下した節（すなわち、第１番節〜当該節）が第ｎ番節等の内部から引き出されるときには、上記外側に形成された段差部分が上記内側に形成された段差部分と衝突する。ただし、第２番節の長さ寸法が上記のように設定されているので、当該第２番節が中子落ちし、これが復帰される場合であっても、当該第２番節の先端部が第（ｎ−１）番節、すなわち元上節の後端部と衝突することはない。
【００２１】
しかし、第３番節から第（ｎ−２）番節までの後端開口部の内側周縁部は、後端部保護部材によって覆われているから、上記段差部分が直接に衝突することはなく、上記内側に形成された段差部分と上記後端部保護部材とが衝突することになる。つまり、上記内側周縁部は、後端部保護部材によって激しい衝突から保護される。
言い換えると、上記段差部分同士は、互いに衝突するものの、上記後端部保護部材によって、外側に形成された段差部分が内側に形成された段差部分を滑らかに乗り越える。これにより、当該内側周縁部に加えられる衝撃は、緩和されることになる。
【００２２】
また、第２番節から第（ｎ−３）番節までの先端開口部の外側周縁部を覆うように先端部保護部材がさらに配置されているのが好ましい。
この構成では、上記先端部保護部材が設けられているので、上記復帰作業の際に、上記段差部分が直接に衝突することはなく、上記先端部保護部材と上記後端部保護部材とが衝突することになる。つまり、上記先端開口部の外側周縁部は、先端保護部材及び後端部保護部材によって激しい衝突から確実に保護される。
したがって、上記段差部分同士は、互いに衝突するものの、上記先端部保護部材及び後端部保護部材によって、上記外側に形成された段差部分が上記内側に形成された段差部分をきわめて滑らかに乗り越える。これにより、当該内側周縁部に加えられる衝撃は、一層効果的に緩和されることになる。
【００２３】
【発明の実施の形態】
以下、適宜図面が参照されつつ、好ましい実施形態に基づいて本発明が詳細に説明される。
【００２４】
図１は、本発明の一実施形態に係る釣竿２０の正面図である。
この釣竿２０は、５つの釣竿構成部材２１〜２５からなり、いわゆる振出式に組み立てられている。各釣竿構成部材２１〜２５は、「節」と称され、外径の細い順に第１番節２１〜第５番節２５と称される。第４番節２４は、特に「元上節」と称され、第５番節２５は、特に「元節」と称される。本実施形態では、釣竿２０は、いわゆる延べ竿と称されるもので、例えば渓流用として使用される。
【００２５】
各節２１〜２５は、既知の要領で構成される。例えば、カーボンプリプレグが所定形状に裁断され、これが筒状に巻回されることによって、円筒状の節２１〜２５が形成される。
第１番節２１は、第２番節２２の内部に引き出し自在に収容されている。この第１番節２１の先端には、釣糸が連結されるトップ部材２６が設けられている。このトップ部材２６の構成は、既知であるので、その詳しい説明は省略される。
【００２６】
第１番節２１は、全体としてテーパー状に形成されており、その先端部の外径よりも後端部の外径の方が大きくなるように形成されている。また、第１番節２１の後端径は、第２番節２２の先端径よりも大きく設定されている。したがって、第１番節２１が第２番節２２から引き出された際に、第１番節２１の後端部分が第２番節２２の先端部分と所定寸法だけオーバーラップした状態でかみ合って（内嵌して）おり、これにより、両者が固定されるようになっている。
なお、第２番節２２と第３番節２３との関係、第３番節２３と元上節２４との関係、及び元上節２４と元節２５との関係も同様である。
【００２７】
元節２５の後端部には、尻栓２７が設けられている。尻栓２７は、既知の構成であり、元節２５の後端部に螺合されている。この尻栓２７の端面２８は、元節２５の内底面を構成している。したがって、釣竿２０が収納状態とされたとき（すなわち、第１番節２１〜元上節２４が元節２５内に収容されたとき）は、第１番節２１〜元上節２４のそれぞれの後端面は、内底面２８に当接するようになっている。
また、各節２１〜２５は、所定の長さ寸法に設定されており、特に、第２番節２２は、後述の長さ寸法Ｌ１に設定されている（図６参照）。さらに、隣り合う各節２２〜２５のオーバラップ寸法も所定の長さに設定されており、特に、元上節２４と元節２５とのオーバーラップ寸法は、後述の寸法Ｌ２に設定されている（図６参照）。
【００２８】
第２番節２２の先端部には、図１が示すように先端部保護部材２９が取り付けられている。
図２は、第２番節２２の先端部の要部拡大斜視図であり、図３は、第１番節２１と第２番節２２との連結部分の要部拡大断面図である。これらの図は、先端部保護部材２９の構成を詳細に図示している。
【００２９】
図２及び図３が示すように、先端部保護部材２９は、略円筒状に形成されている。先端部保護部材２９の一端部には、径方向に延設されたスカート部３１が形成されている。
先端部保護部材２９は、本実施形態では、ステンレス鋼（ＳＵＳ３０４）等の金属により構成されている。もっとも、先端部保護部材２９の材質は、金属の他に、ポリブチレンテレフタレート（ＰＢＴ）、アクリロニトリルブタジエンスチレン共重合体（ＡＢＳ樹脂）等樹脂やアクリロニトリル−ブタジエンゴム（ＮＢＲ）、シリコーンゴム（ＳＩ）等のゴム等であってもよい。
【００３０】
先端部保護部材２９は、その他端部側から第２番節２２の先端部に挿入されている。これにより、第２番節２２の先端部周面は、先端部保護部材２９の側面部３２により覆われ、第２番節２２の先端面は、先端部保護部材２９の上記スカート部３１により覆われる。
したがって、先端部保護部材２９が第２番節２２に取り付けられた状態では、第２番節２２の先端開口部３３の外側周縁部３４が先端部保護部材２９によって覆われる。
【００３１】
先端部保護部材２９の側面部３２は、所定のテーパー（例えば、０／１０００〜５／１０００）が設けられており、これにより、先端部保護部材２９の先端部外径よりも後端部外径の方が大きく設定されている。このようにテーパーが設けられていることによる作用効果については、後述される。
また、先端部保護部材２９の先端角部３５は、面取処理が施されている。本実施形態では、この先端角部３５は、いわゆるＲ面に形成されている。もっとも、先端角部３５は、Ｒ面に形成されるほかに、いわゆるＣ面に形成される等、他の種々の面取処理が施され得る。このように面取処理が施されることによる作用効果については、後述される。
【００３２】
また、図１が示すように、第３番節２３の後端部には、後端部保護部材３０が取り付けられている。
図４は、第３番節２３の後端部の要部拡大斜視図であり、図５は、第３番節２３と元上節２４との連結部分の要部拡大断面図である。これらの図は、後端部保護部材３０の構成を詳細に図示している。
【００３３】
図４及び図５が示すように、後端部保護部材３０は、いわゆる段付きの円筒状に形成されている。すなわち、後端部保護部材３０は、小径筒部３６と、これに連続された大径筒部３７とを備えており、両者間に段部が形成されている。
小径筒部３６の外径は、第３番節２３の内径に合致されており、大径筒部３７の外径は、第３番節２３の外径に合致されている。
後端部保護部材３０は、本実施形態では、ステンレス鋼（ＳＵＳ３０４）等の金属により構成されている。もっとも、後端部保護部材３０の材質は、金属の他に、ポリブチレンテレフタレート（ＰＢＴ）、アクリロニトリルブタジエンスチレン共重合体（ＡＢＳ樹脂）等樹脂やアクリロニトリル−ブタジエンゴム（ＮＢＲ）、シリコーンゴム（ＳＩ）等のゴム等であってもよい。
【００３４】
後端部保護部材３０は、図４が示すように、小径筒部３６側から矢印３８の方向に沿って第３番節２３の後端部に挿入される。これにより、第３番節２３の後端面３９は、後端部保護部材３０の大径筒部３７により覆われ、第３番節２３の後端部内壁面４０は、後端部保護部材３０の小径筒部３６により覆われる。
したがって、後端部保護部材３０が第３番節２３に取り付けられた状態では、第３番節２３の後端開口部４１の内側周縁部４２が後端部保護部材３０によって覆われる。
【００３５】
後端部保護部材３０の大径部３７は、この後端部保護部材３０の後端角部を構成している。図５が示すように、後端部保護部材３０の大径筒部３７の内側部分４３（案内面）は、滑らかに縮径されている。具体的には、この内側部分４３の最大内径は、小径筒部３６の内径よりも大きく設定されているが、当該内側部分４３の内径は、その後端側から先端側へ向かう方向に沿って滑らかに縮径されており、上記小径筒部３６の内径と一致されている。
上記大径筒部３７にの内側部分４３が上記曲面に形成されていることによる作用効果については、後述される。
【００３６】
本実施形態に係る釣竿２０は、前述のように渓流釣りに使用されるが、釣竿２０が使用されている際中に、いわゆる中子落ち現象が生じる場合がある。例えば、本実施形態では、第２番節２２と第３番節２３との嵌合が解除され、第２番節２２及び第１番節２１が元節２５内に落下してしまうことがある。この場合、釣人は、釣りを続行するために、落下した第２番節２２及び第１番節２１を再び引き出す作業（復帰作業）を行う。
【００３７】
図６は、中子落ち現象が生じた状態での釣竿２０の要部拡大断面図である。
本実施形態に係る釣竿２０では、第２番節２２の長さ寸法Ｌ１は、元節２５から元上節２４が引き出された状態において、元節２５の内底面２８から元上節２４の後端までの距離Ｌ３よりも大きく設定されている。なお、この距離Ｌ３は、元節２５の軸方向長さから、元上節２４と元節２５とのオーバーラップ寸法Ｌ２を差し引いた距離である。
【００３８】
釣竿２０は振出式に構成されているから、第１番節２１の後端部が第２番節の先端部内側に嵌合保持され、第２番節２２の後端部が第３番節２３の先端部内側に嵌合保持される。第３番節２３と元上節２４との関係、元上節２４と元節２５との関係も同様である。そのため、各隣り合う節のうち、一方の節の後端部と他方の節の先端部内側との間に段差が生じる。また、一方の節の後端部と他方の節の先端部外側との間に、段差が生じる。
具体的には、第３番節２３と元上節２４の内側との間には、段差４４が生じ、元上節２４と元節２５の内側との間には、段差４５が生じる。また、第１番節２１と第２番節２２の外側との間には、段差４６が生じる。
【００３９】
仮に上記先端部保護部材２９及び後端部保護部材３０が設けられていないとするならば、上記復帰作業の際に、上記段差４６が上記段差４４と直接に衝突し、両者のうち少なくとも一方が損傷する可能性がある。
ところが、上記先端部保護部材２９が第２番節２３に設けられており、しかも、上記後端部保護部材３０が第３番節２３に設けられているので、上記段差４６と段差４３とが直接に衝突することはなく、先端部保護部材２９と後端部保護部材３０とが衝突する。
【００４０】
したがって、第２番節２２の上記外側周縁部３４及び第３番節２３の上記内側周縁部４２は、激しく衝突することはない。すなわち、上記段差４６は、上記段差４４部分と衝突はするものの、上記段差４６は、上記段差４４を滑らかに乗り越えることになるので、第２番節２２の上記外側周縁部３４及び第３番節２３の上記内側周縁部４２に加えられる衝撃は、緩和されることになる。
よって、本実施形態に係る釣竿２０では、第２番節２２が落下するという中子落ち現象が生じ、釣人がこれを復帰させる場合に、第２番節２２及び第３番節２３のいずれもが、両者の衝突によって破損等することがない。
【００４１】
本実施形態では、上記段差４６と、上記段差４５との衝突については、起こり得ない。なぜなら、第２番節２２の軸方向長さが上記寸法Ｌ１に設定されているから、第２番節２２が落下した場合であっても、第２番節２２の先端部の位置（上記段差４６の位置）は、上記段差４５よりも上方に（図中左方に）位置することになるからである。
【００４２】
また、本実施形態では、第２番節２２に上記先端部保護部材２９が設けられ、第３番節２３に上記後端部保護部材３０が設けられているが、これらのうち、少なくともいずれか一方のみが設けられている場合であってもよい。その場合であっても、上記段差４６は、上記先端部保護部材２９又は上記後端部保護部材３０を介して上記段差４４を滑らかに乗り越えることになる。したがって、第２番節２２の上記外側周縁部３４及び第３番節２３の上記内側周縁部４２に加えられる衝撃は、緩和されることになる。
【００４３】
なお、本実施形態では、釣竿２０がいわゆる５本継ぎに形成されているが、５本以上であれば、節の数は何ら制限を受けることはない。すなわち、第２番節２２の上記寸法Ｌ１が、上記寸法Ｌ２，Ｌ３との間に前述のような関係を備えることを前提として、釣竿がｎ本の節を備えて構成される場合は、一般に、第３番節から第（ｎ−２）番節までの後端開口部の内側周縁部を覆うように後端部保護部材が設けられていればよい。
このように構成された場合には、第２番節に限らず、他のいずれの中間節が落下した場合であっても、上記復帰作業の際に、各節が損傷を受けることはない。
また、後端部保護部材に加えて、第２番節から第（ｎ−３）番節までの先端開口部の外側周縁部を覆うように先端部保護部材が設けられているのが好ましいことは言うまでもない。
【００４４】
ところで、本実施形態では、第２番節２２の上記寸法Ｌ１が、上記寸法Ｌ２，Ｌ３との間に前述のような関係を備えることを前提としている。しかし、釣竿の用途によっては、各節の長さ寸法が小さく設定される場合もあり、その場合に、第２番節２２の上記寸法Ｌ１が、上記寸法Ｌ２，Ｌ３との間に前述のような関係を有しないこともある。
すなわち、図６において、第２番節２２が元節２５の内底面２８まで落下した状態で、第２番節２２と第１番節２１との間の段差４６が、元上節２４と元節との間の段差４５よりも下方に（図中右方に）位置する場合もある。
【００４５】
そのような場合において、中子落ち現象が生じたときの復帰作業の際に、各節が損傷を受けるおそれがあるのは、第２番節から元上節のそれぞれの先端部及び後端部であり、釣竿が４本継ぎ以上の場合である。
したがって、釣竿がｎ本（ｎ≧４）の節を備えて構成される場合は、上記後端部保護部材が第３番節から元上節の各節の後端部に設けられていればよい。このように構成された場合には、第２番節に限らず、他のいずれの中間節が落下した場合であっても、上記復帰作業の際に、各節が損傷を受けることはない。
また、この後端部保護部材に加えて、第２番節から元上節の各節の先端部に上記先端部保護部材が設けられているのが好ましいことは言うまでもない。
【００４６】
本実施形態では、渓流用の振出式延べ竿について開示されているが、本発明は、釣竿の種類に関係なく振出式釣竿に一般に適用され得る。また、釣竿のほか、いわゆるタモの柄についても、本発明が適用されることは勿論である。
【００４７】
【発明の効果】
以上のように本発明によれば、中子落ちした中間節及び第１番節が復帰される場合に、当該中間節と他の節との衝突が生じたとしても、この衝突は滑らかなものとなるので、当該中間節及び他の節が当該衝突によって破損等することがない。
【図面の簡単な説明】
【図１】図１は、本発明の一実施形態に係る釣竿の正面図である。
【図２】図２は、本発明の一実施形態に係る釣竿の第２番節の先端部の要部拡大斜視図である。
【図３】図３は、本発明の一実施形態に係る釣竿の第１番節と第２番節との連結部分の要部拡大断面図である。
【図４】図４は、本発明の一実施形態に係る釣竿の第３番節の後端部の要部拡大斜視図である。
【図５】図５は、本発明の一実施形態に係る釣竿の第３番節と元上節との連結部分の要部拡大断面図である。
【図６】図６は、中子落ち現象が生じた状態での本発明の一実施形態に係る釣竿の要部拡大断面図である。
【図７】図７は、従来の渓流用の釣竿の正面図である。
【図８】図８は、従来の釣竿の一部断面要部拡大正面図である。
【符号の説明】
２０・・・釣竿
２１・・・第１番節
２２・・・第２番節
２３・・・第３番節
２４・・・第４番節
２５・・・第５番節
２７・・・尻栓
２８・・・内底面
２９・・・先端部保護部材
３０・・・後端部保護部材
３１・・・スカート部
３２・・・側面部
３３・・・先端開口部
３４・・・外側周縁部
３５・・・先端角部
３６・・・小径筒部
３７・・・大径筒部
３９・・・後端面
４０・・・後端部内壁面
４１・・・後端開口部
４２・・・内側周縁部
４３・・・内側部分
４４・・・段差
４５・・・段差
【図１】
2004248571.tif 000003
【図２】
2004248571.tif 000004
【図３】
2004248571.tif 000005
【図４】
2004248571.tif 000006
【図５】
2004248571.tif 000007
【図６】
2004248571.tif 000008
【図７】
2004248571.tif 000009
【図８】
2004248571.tif 000010